(57)【特許請求の範囲】
【請求項１】
一対の短縁とこの短縁を両側に挟み込む一対の長縁とにより区画された輪郭形状を有し、その外表面を仕上げ面とする硬質材と、この硬質材の裏面に貼着される軽量軟質材とを備え、建築構造物の下地材への取り付けにより仕上げ壁を形成する複合パネルであって、
前記短縁の少なくとも一方または前記長縁の少なくとも一方に、幅方向の少なくとも一部を、前記硬質材の裏面側へ折り返した折り返し部を有し、前記下地材に設けられた係止受具との連係により、該硬質材を、前記軽量軟質材とともに該下地材に支持する係止フックを設け、
前記係止フックの幅端に、前記係止受具の通り抜けを許容する開放部を形成し、
前記軽量軟質材は、該硬質材の裏面につながる通路を形成する複数の貫通開口を有し、
前記貫通開口の通路内に、前記硬質材の裏面および前記係止受具にそれぞれ吸着可能なマグネットを設けたことを特徴とする建築構造物の壁材に適した複合パネル。
【請求項２】
前記軽量軟質材は、その裏面において固定、保持された裏張り材を有することを特徴とする請求項１に記載した建築構造物の壁材に適した複合パネル。
【請求項３】
前記裏張り材は、前記貫通開口の少なくとも一つに、該貫通開口の通路内へ張り出し、前記係止受具との連係を可能にする係止片を有することを特徴とする請求項２に記載した建築構造物の壁材に適した複合パネル。
【請求項４】
前記係止片が、コの字状スリットによって輪郭形状が形成された舌状片を、前記貫通開口の通路内に向けて折り返した折り曲げ片からなることを特徴とする請求項３に記載した建築構造物の壁材に適した複合パネル。
【請求項５】
前記硬質材および前記係止フックに、該硬質材の外表面および該係止フックの外表面に一致する外表面を有し、隣接するパネルの端面に突き合わさったその相互間にてフラットな継ぎ目を形成する耳部を設けたことを特徴とする請求項１〜４の何れか１に記載した建築構造物の壁材に適した複合パネル。
【請求項６】
請求項５に記載した複合パネルを、建築構造物の下地材に取り付ける取り付け施工方法において、
前記係止フック、前記貫通開口に、前記下地材に設けられた係止受具をそれぞれ連係させて複合パネルを前記下地材に順次に支持するとともに、前記耳部の裏眼に、接着層を有する接合部材を配置することによって、隣接する複合パネル同士を相互に接続することを特徴とする建築構造物の壁材に適した複合パネルの取り付け施工方法。
【請求項７】
前記接合部材が、前記軽量軟質材であることを特徴する請求項６に記載した建築構造物の壁材に適した複合パネルの取り付け施工方法。
【発明の詳細な説明】
【技術分野】
【０００１】
本発明は、建築構造物の壁材に適した複合パネルおよびその複合パネルの取り付け施工方法に関し、該建築構造物の内装仕上げ材、外装仕上げ材に適用し得る複合パネルと、その複合パネルの取り付け施工方法について提案するものである。
【背景技術】
【０００２】
建築構造物の内外装工事等では、木製間柱あるいはスタッド、ランナーからなる軽量鉄骨下地に、石膏ボード等の下地材をビス止めして壁面（下地）を形成したのち、その表面に仕上げ材（内装工事にあっては糊付けによって貼付する壁紙等）を取り付けることによって仕上げ壁を形成するのが一般的である。
【０００３】
ところで、近年、装飾性や機能面で優れた塗装鋼板が開発されるようになってきており、かかる塗装鋼板を、建築構造物の下地材に直接取り付けて表面仕上げを行う施工法が採用されている。
【０００４】
この点に関する先行技術としては、建築用金属パネルの取付構造にかかわる、例えば特許文献１に開示されたものが知られている。
【先行技術文献】
【特許文献】
【０００５】
【特許文献１】特開平６―６６００３号公報
【発明の概要】
【発明が解決しようとする課題】
【０００６】
上記特許文献１に開示のパネルの取付構造は、周縁部に複数の折り曲げ部を設けたパネルと、このパネルの上下縁部を固定する横胴縁とを設け、前記パネルに設けられた係合部および挿入部を、前記横胴縁に形成された突起に交互に挿入することによって両者を連結する構成からなっている。
【０００７】
ところで、かかる取付構造は、パネルに設けられた係合部が、打ち抜き、曲げ加工等の複数工程を経て成形されるものであり、その製作には手間がかかり、また、パネルの取り付けに際しては、係合部と突起との正確な位置合わせを伴う煩雑な作業を必要とすることから、効率的な施工を実施するのが難しい状況にある。
【０００８】
そこで、本発明の目的は、簡素化された形状を有し、簡便な作業のもとに建築構造物の壁面を仕上げることができる複合パネルおよびその複合パネルの取り付け施工方法を提案するところにある。
【課題を解決するための手段】
【０００９】
本発明は、一対の短縁とこの短縁を両側に挟み込む一対の長縁とにより区画された輪郭形状を有し、その外表面を仕上げ面とする硬質材と、この硬質材の裏面に貼着される軽量軟質材とを備え、建築構造物の下地材への取り付けにより仕上げ壁を形成する複合パネルであって、
前記短縁の少なくとも一方または前記長縁の少なくとも一方に、幅方向の少なくとも一部を、前記硬質材の裏面側へ折り返した折り返し部を有し、前記下地材に設けられた係止受具との連係により、該硬質材を、前記軽量軟質材とともに該下地材に支持する係止フックを設け、
前記係止フックの幅端に、前記係止受具の通り抜けを許容する開放部を形成し、前記軽量軟質材は、該硬質材の裏面につながる通路を形成する複数の貫通開口を有し、
前記貫通開口の通路内に、前記硬質材の裏面および前記係止受具にそれぞれ吸着可能なマグネットを設けたことを特徴とする建築構造物の壁材に適した複合パネルである。
【００１２】
また、前記軽量軟質材の裏面には、前記硬質材との間で軽量軟質材を挟み込んでサンドイッチ構造を構成する裏張り材を設けておくのが好ましい。
【００１３】
前記裏張り材には、前記貫通開口の少なくとも一つに、該貫通開口の通路内へ張り出し、前記係止受具との連係を可能にする係止片を設けておくことができる。
【００１４】
前記係止片としては、コの字状スリットによって輪郭形状が形成された舌状片を、前記貫通開口の通路内に向けて折り返した折り曲げ片とするのが望ましい。
【００１５】
さらに、前記硬質材および前記係止フックには、該硬質材の外表面および該係止フックの外表面に一致し、かつ、隣接するパネル（複合パネル）の端面に突き合わさってフラットな継ぎ目を形成する耳部を設けることができる。
【００１６】
また、本発明は、上記の構成からなる複合パネルを、建築構造物の下地材に取り付ける取り付け施工方法において、前記係止フック、前記貫通開口に、前記下地材に設けられた係止受具をそれぞれ連係させて複合パネルを前記下地材に順次に支持するとともに、前記耳部の裏面に、接着層を有する接合部材を配置することによって、隣接する複合パネル同士を相互に接続することを特徴とする建築構造物の壁材に適した複合パネルの取り付け施工方法である。さらに、前記接合部材が、前記軽量軟質材であることが好ましい。
【発明の効果】
【００１７】
上記のような構成を有する本発明によれば、係止フックが、幅方向の少なくとも一部を硬質材の裏面側へ折り返した単一の折り返し部からなっているため、形状が簡素化され、効率的な製作が可能となる。
【００１８】
また、本発明によれば、該係止フックを、係止受具に引っ掛けるだけの簡便な作業で複合パネルを下地材に取り付けることができ、効率的な施工が可能となる。
【００１９】
さらに、本発明によれば、係止フックの幅端に開放部を設けたため、複合パネルのパネル幅によりもはるかに長い係止受具（連続長尺材）の適用が可能であり、しかも、複合パネルの、係止受具に沿うスライドが許容される。
【００２０】
これにより、温度変化あるいは湿度変化によって下地材と複合パネルとの間に伸縮差（伸縮率の差）が生じたとしても、その影響を吸収することが可能となり、目地(複合パネルのパネル相互間に形成される継ぎ目)に段差が形成されたり、隙間が生じることはない。複合パネルの取り付けに際しての目地の目地幅は、０．２ｍｍ以下程度になる。
【００２１】
軽量軟質材の、係止受具の各対面部位に形成される貫通開口は、係止フックに連係する係止受具とは別の係止受具に連係させるのに役立つため、複合パネルの、下地材に対する支持がより確実となる。
【００２２】
例えば、係止受具に予めマグネットを配置しておき、このマグネットを貫通開口に入れ込んで硬質材に吸着させることにより、複合パネルの、下地材に対する支持が確実になる。
【００２３】
軽量軟質材の裏面に配置される硬質の裏張り材は、仕上げ面を形成する硬質材とともに軽量軟質材を挟持するサンドイッチ構造を構成するため、これにより、重量増しを殆ど伴うことなしに複合パネルの剛性、強度を高めることができる。
【００２４】
裏張り材に一体的に設けられた係止片は、係止受具との連係を強化する手段として機能し、複合パネルのより安定した支持が可能となる。
【００２５】
上記の係止片を、貫通開口の通路内に向けて折り返した折り曲げ片にて構成することにより、構成部材の部材点数を増すことなしに係止片そのものの強度を高めることができる。
【００２６】
硬質材および係止フックに設けられる耳部は、隣接配置されるパネル（複合パネル）の端面に突き合わさるため、その相互間には、フラットな継ぎ目が形成される。
【００２７】
フラットな継ぎ目は、それに跨って文字等が書かれても違和感がなく、筆圧の変化も小さくするのに有利であり、また、映像等を投射した際にその乱れを抑制する。
【００２８】
このため、本発明の複合パネルによって形成された仕上げ壁は、専用のマーカーで書いて消せるホワイトボード、あるいはプロジェクタスクリーンとしての適用が可能となる。
【００２９】
とくに、ホワイトボードやプロジェクタスクリーンについては、幅、高さともに、生産可能範囲を超えるサイズでの要求がなされても、その要求に容易に対処することができる。
【図面の簡単な説明】
【００３０】
【図１】複合パネルの実施の形態を示した図（正面側の外観斜視図）である。
【図２】図１に示した複合パネルの裏面側の外観斜視図である。
【図３】図１に示した複合パネルの係止フックの要部を拡大して示した図である。
【図４】複合パネル取り付け状況を示す他の例を示した図である。
【図５】図１に示した複合パネルの取り付け状況を示した図である。
【図６】図１に示した複合パネルの継ぎ目の断面を示した図である。
【図７】複合パネルの接続状況を示した図である。
【図８】複合パネルの接続状況を示す他の例を示した図である。
【図９】硬質材の下部に係止フックを設けた例を示した図であり、（ａ）は複合パネルの正面を示した図、（ｂ）はＹ−Ｙ断面を示した図である。
【図１０】軽量軟質材に貫通開口を設けた、複合パネルの形態を示した図である。
【図１１】貫通開口の通路内にマグネットを配置した状態を示した図である。
【図１２】軽量軟質材の背面に裏張り材を設けた、複合パネルのさらに他の例を示した図である。
【図１３】図１０に示した複合パネルの変形例を示した図である。
【図１４】複合パネルの取り付け状況を示した図である。
【図１５】複合パネルの取り付け状況を示す他の例を示した図である。
【図１６】図１０に示した複合パネルのさらに他の変形例を示した図である。
【図１７】仕上げ壁を形成する施工状況を示した図である。
【発明を実施するための形態】
【００３１】
以下、図面を参照して、本発明をより具体的に説明する。
図１、２は、複合パネルを模式的に示した図であり、図１は、正面側の外観斜視図、図２は、裏面側の外観斜視図である。
【００３２】
ここに、複合パネルとは、表面材、裏面材に金属板等の高密度、高強度、高剛性材料を適用し、芯材に低密度材料を適用した、少なくとも２枚重ねにして一体化を図った板状の積層構造体をいうものとし、重量増しを最小限に抑えつつ厚さを厚くすることができるものである。
【００３３】
図１、２における符号１は、外表面を仕上げ面とする硬質材である。この硬質材１は、０．３〜０．５ｍｍ程度の厚さを有する、スチール製の塗装鋼板、亜鉛めっき鋼板、アルミニウム亜鉛合金めっき鋼板、アルミニウム板、ステンレス鋼板、銅板等が適用されるものであって、一対の短縁１ａ、１ｂと、この短縁１ａ、１ｂを両側に挟み込む一対の長縁１ｃ、１ｄとによって区画された輪郭形状（矩形）を有している。
【００３４】
上掲図１、２では、矩形状をなす縦長の板状部材を例として示したが、硬質部材１の形状は、横長、円、楕円、多角形等多種多様の形状を適用することが可能であり、図示の形状には限定されない。
【００３５】
また、２は、硬質材１の裏面に接着剤等（機械的な接合でもよい）を介して貼着された、芯材としての軽量軟質材である。軽量軟質材２も縦長の板状部材からなるものを例として示してあり、発泡ポリエチレン、樹脂、木質材料等が適用される。
【００３６】
３は、硬質材１の上部（短縁１ａ）に設けられた係止フックである。この係止フック３は、硬質材１と一体連結するフック本体３ａと、幅方向（ｗ）の全域を、硬質材１の裏面側への１８０°曲げにより折り返した折り曲げ部３ｂからなっており、その両側の幅端には、逆Ｕ字状の開放部３ｃが形成されている。
【００３７】
なお、図１、２では、係止フック３を硬質材１の幅方向の全域に設けた場合について示したが、係止フック３は、部分的になくてもかまわない。
【００３８】
上記係止フック３は、その要部断面を拡大して図３に示すように、下地材４（石膏ボード等）に設けられた係止受具５に連係（引っ掛かる）し、硬質材１を、軽量軟質材２とともに、該下地材４に支持する。また、図４に、係止受具５の他の例（形状が異なる例）を示す。
【００３９】
係止フック３の幅端に形成された開放部３ｃは、図５に示す如く、係止受具５を通過させる通過口として機能し、該係止受具５の長尺化が可能となる。
【００４０】
また、開放部３ｃは、複合パネルの、係止受具５に沿う向きへのスライドを許容するため、温度変化や湿度変化により複合パネルと下地材４との間に伸縮差が生じたとしても、該複合パネルのスライドによりその差は容易に吸収される。
【００４１】
また、６は、硬質材１の外周縁および係止フック３の幅端に設けられた耳部である。この耳部６は、軽量軟質部材２を取り囲むように設けられるとともに、硬質材１の外表面および係止フック３の外表面に一致する外表面を有しており、図６にその要部断面を示すように、隣接するパネルの端面に突き合わさることにより、その相互間にフラットな継ぎ目ｍを形成する。
【００４２】
上記の構成からなる本発明の複合パネルは、短縁１ａの少なくとも一部にわたって係止フック３が設けられた、簡素化された構造からなっていて、効率的な製作が可能となっている。
【００４３】
また、本発明の複合パネルは、係止フック３を、係止受具５に引っ掛けることより下地材４に支持するものであり、係止受具５の設置位置に応じ、下地材４の上下方向の任意の位置での位置決めが可能となる。
【００４４】
複数枚の複合パネルを組み合わせて仕上げ壁を形成するには、係止フック３を係止受具５に引っ掛けるとともに、先行して取り付けられる複合パネルの耳部６と、次に取り付けられる複合パネルの耳部６とを相互に突き合わせていけばよい。
【００４５】
複合パネルの耳部６の突き合わせにおいては、上掲図６に示すように、耳部６の背面に空間ｎが形成される。このため、本発明においては、その空間ｎに接続部の接合を補強する接合部材を配置する。
【００４６】
図７に、接合部材の構成例を示す。図中の符号７は、鋼材等からなる芯材、８は、芯材７を前後に挟む厚さ調整材（発泡ポリエチレン等）、９は、両面に接着層を有する接着部材（両面テープ等）である。
【００４７】
また、図８に、上記接合部材として軽量軟質材２を用いた例を示す。複合パネルの端部に設けられた硬質材１を剥がし、軽量軟質材２の外表面に接着剤９′を塗布する。そして、該接着剤９′の表面に、軽量軟質材２を剥がした、他の複合パネルを重ねて、接合する。
【００４８】
複合パネルの取り付けに際して、空間ｎに、上記の構成からなる接合部材を配置することにより、耳部６における曲げ剛性、曲げ強度を確保しつつ隣接する複合パネル同士を確実に接続することができ、これにより複合パネルの連続性が保たれる。
【００４９】
従って、複合パネルによって形成された仕上げ壁は、ホワイトボードとして使用する場合に、複合パネルの継ぎ目に跨って文字等を書いても違和感がなく、筆圧の変動も極めて小さい。
【００５０】
係止フック３としては、硬質材１の上部に位置する短縁１ａに設けた場合を例として示したが、図９（ａ）（ｂ）に示すように、硬質材１の下部に位置する短縁１ｂに設けることもできる。
【００５１】
また、複合パネルの形状や下地材４の取り付け位置によっては、係止フック３を、硬質材１の長縁１ｃ、１ｄに設けることもできる。
【００５２】
図１０は、軽量軟質材２の四隅と、縦方向（高さ方向）の中央縁部の合計６個所に、矩形状の貫通開口１０を設けた、複合パネルの実施の形態を示した図である。
【００５３】
貫通開口１０は、硬質材１の裏面につながる通路を形成する。複合パネルの取り付けに際して、該貫通開口１０に、下地材４に設けた係止受具を挿入することにより、複合パネルが、下地材４に対して複数個所で支持されることとなり、より確実な取り付けが可能となる。
【００５４】
貫通開口１０の形状は、図１０に示したように、矩形状のものを例と示したが、その形状は適宜変更し得る。また、貫通開口１０の数も複合パネルのサイズに応じて増減される。
【００５５】
貫通開口１０に挿入される係止受具と、該貫通開口１０の通路との間には、伸縮時における複合パネルのスライドを許容するため、そのスライドを考慮した隙間を形成しておく（係止具のサイズ＋スライド分）のがよい。
【００５６】
また、この貫通開口１０の通路内には、図１１に示すように、マグネット１１を配置する。
【００５７】
貫通開口１０内にマグネット１１を配置した構成のものにおいては、下地材４に設けた金属製プレート（係止受具）１２と硬質材１とをマグネット１１に吸着させて、該硬質材１を下地材４に保持することが可能（接着剤による接着が不要）となり、複合パネルの、下地材４への支持がより確実になる。
【００５８】
プレート１２の固定については、ねじ止めや接着剤を用いて行う。
【００５９】
マグネット１１は、その外表面と軽量軟質部材２の表面とは、同等レベルとしておくのがよい。
【００６０】
というのは、複合パネルが係止受具５に沿ってスライドすることがあってもその動きを阻害することがないからである。マグネット１１の設置個数やその磁力は、複合パネルの取り付け強度に応じて設定される。
【００６１】
さらに、上記のマグネット１１は、予め下地材４に固定しておくこともできる。この場合、該マグネット１１を、貫通開口１０の通路内に挿入して硬質材１に吸着させることで複合パネルを支持することが可能であり、該マグネット１１は係止受具として機能することとなる。
【００６２】
マグネット１１を係止受具とする場合についても、マグネット１１のサイズと複合パネルの伸縮時におけるスライド分を考慮して貫通開口１０を形成しておく。
【００６３】
図１２は、貫通開口１０を設けた複合パネルにつき、その軽量軟質材２の背面に硬質の裏張り材１３を設け、硬質材１との間で該軽量軟質材２を挟持（サンドイッチ構造）した、複合パネルの好適例を示した図である。
【００６４】
かかる構成の複合パネルは、上掲図１、２に示した複合パネルと同様の要領で取り付け施工がなされるものである。
【００６５】
この複合パネルは、軽量を維持したまま（重量増しを殆ど伴うことがない）、パネルそのものの剛性、強度を高めることが可能（パネルの腰を確保）であり、施工時における取り扱いを容易にし、パネルの大面積化により一度で広範囲にわたって施工できる等の利点がある。
【００６６】
裏張り材１３としては、厚さ０．１５〜０．２０ｍｍ程度の板材を適用することができる。具体的には、硬質材１と同等の金属板、あるいはベニア板等を用いることが可能であり、貫通開口１０が形成されている部位には、該貫通開口１０に合わせて窓孔１３ａを形成する。
【００６７】
とくに裏張り材１３の窓孔１３ａ（上辺）には、その要部を拡大して図１３に示す如く、貫通開口１０の通路内に先端部が張り出した係止片１４を設けるのがよい。
【００６８】
裏張り材１３に係止片１４を設けておくことにより、図１４に示すように、下地材４に予め固定された係止受具１５に引っ掛けておくことが可能となり、複合パネルの支持がより確実になる。
【００６９】
係止片１４に連係する係止受具１５についても、貫通開口１０の幅寸法Ｌ（図１３参照）よりも小さい幅寸法に設定しておき、下地材４と複合パネルとの伸縮率の差に起因した該複合パネルのスライドを許容する隙間を形成しておく。
【００７０】
これにより、複合パネルと下地材４との間に、温度変化、湿度変化等によって伸縮差が生じたとしても、その伸縮差を、スライドにより容易に吸収することが可能となり、パネルの継ぎ目ｍにおいて段差が形成されたり、隙間が形成されるのを抑制することができる。
【００７１】
図１５に、異なる形状の係止受具５を用いた例を示す。
【００７２】
図１６は、裏張り材１３に、コの字状スリット１６を形成することによって輪郭形状を形成した舌状片１７を設け、該舌状片１６を貫通開口１０の通路内に向けて１８０°の角度でもって折り返して折り曲げ片１８を形成したものである。
【００７３】
上記の折り曲げ片１８を備えた複合パネルは、別部材を２枚重ねにして張り合わせる工程を経ることなしにその部位の強度を高めることが可能であり、部品点数の増加を抑制できる利点がある。
【００７４】
図１７に、本発明に好適な構成を備えた複合パネルを、吸着取付け具１９を使って持ち上げ、下地材４に設けられた長尺の係止金具２０と、貫通開口１０にて連係する短尺の係止受具２１にそれぞれ適合させて横並びに複合パネルを配置して仕上げ壁を形成する施工状況の１例を示す。
【００７５】
本発明の複合パネルは、建築構造物（既存、新築を問わない）の内装仕上げ材としてとくに好適であるが、外壁の外側に配置される化粧板として使用することも可能であり、取り付けられる部位については、とくに限定されない。
【００７６】
また、下地材４に予め設けられる係止受具の形状も適宜変更することができる。
【００７７】
複合パネルは、横並び配列にして仕上げ壁を形成する場合の他、係止フック３に連係する係止受具を高さ方向に複数個所設け、縦方向（高さ方向）に配列して仕上げ壁を形成してもよく、横並び配列する場合に限定はされない。
【産業上の利用可能性】
【００７８】
本発明によれば、形状が簡素化され、効率的な製作が可能であり、かつ、下地材に確実に支持し得る複合パネルが提供できる。また、本発明によれば、効率的な作業のもとで仕上げ壁を形成することが可能な施工方法が提供できる。
【符号の説明】
【００７９】
１      硬質材
１ａ    短縁
１ｂ    短縁
１ｃ    長縁
１ｄ    長縁
２      軽量軟質材
３      係止フック
３ａ    フック本体
３ｂ    折り曲げ部
３ｃ    開放部
４      下地材
５      係止受具
６      耳部
７      芯材
８      厚さ調整部材
９      接着部材
９′    接着剤
１０    貫通開口
１１    マグネット
１２    金属製プレート
１３    裏張り材
１４    係止片
１５    係止受具
１６    舌状片
１７    折り曲げ片
１８    折り曲げ片
１９    吸着取り付け具
２０    係止受具
２１    係止受具
ｍ      継ぎ目
ｎ      空間
【図１】
0005763403.tif 000002
【図２】
0005763403.tif 000003
【図３】
0005763403.tif 000004
【図４】
0005763403.tif 000005
【図５】
0005763403.tif 000006
【図６】
0005763403.tif 000007
【図７】
0005763403.tif 000008
【図８】
0005763403.tif 000009
【図９】
0005763403.tif 000010
【図１０】
0005763403.tif 000011
【図１１】
0005763403.tif 000012
【図１２】
0005763403.tif 000013
【図１３】
0005763403.tif 000014
【図１４】
0005763403.tif 000015
【図１５】
0005763403.tif 000016
【図１６】
0005763403.tif 000017
【図１７】
0005763403.tif 000018